(57)【要約】【課題】同時多発的にアラームが発せられる場合に、プラントの制御状態を回復させるために必要となるガイダンスを操作者に通知し、かつ、操作者が当該通知されるガイダンスから最適なガイダンスを選択可能なプラント監視制御装置を提供すること。【解決手段】実施形態のプラント監視制御装置は、プラントの制御状態が異常であるか否かを判定し、制御値情報とアラーム情報とを含む複数のタグデータを管理及び通知するコントローラに接続する。前記プラント監視制御装置においては、前記通知された各タグデータ内のアラーム情報の数と、前記読出された状態情報内の発生アラーム情報により示されるアラームの数と、当該アラーム情報により示されるアラーム及び当該発生アラーム情報により示されるアラームのうちの互いに一致するアラームの数とに基づいてアラーム適合率を計算する。また、前記計算されたアラーム適合率を表示させる。【選択図】図１
2013050819.tif 000002
【特許請求の範囲】
【請求項１】
プラントの制御状態が異常であるか否かをコントローラが判定するための複数の制御値を示す制御値情報と、前記制御状態が異常であると判定されたときに前記コントローラが発生する複数のアラームのうち、現在、発生中のアラームを示すアラーム情報とを含む複数のタグデータを管理及び通知する前記コントローラに接続するプラント監視制御装置であって、
時刻情報と、前記管理された各タグデータ内の制御値情報及びアラーム情報がどのように変化したかを示す履歴内容情報とを含む履歴情報を記憶する履歴情報記憶手段と、
前記制御状態が異常である期間を示す期間情報と、当該期間情報により示される期間に前記発生したアラームを示す発生アラーム情報とを含む状態情報を記憶する状態情報記憶手段と、
操作者の操作に応じて、前記期間情報を前記状態情報記憶手段に書込む手段と、
前記期間情報が前記状態情報記憶手段に書込まれると、前記通知された各タグデータ内のアラーム情報を前記発生アラーム情報として前記状態情報記憶手段に書込み、かつ当該期間情報により示される期間内の時刻を示す時刻情報をもつ履歴情報を前記履歴情報記憶手段から読出し、当該読出された履歴情報内の履歴内容情報により新たに発生するように変化した旨が示されるアラームを前記発生アラーム情報として前記状態情報記憶手段に書込む手段と、
前記記憶された状態情報に含まれる情報のうち、少なくとも１つの情報の値を検索条件として設定する手段と、
前記設定された検索条件に基づいて、当該検索条件に一致する状態情報を前記状態情報記憶手段から読出す手段と、
前記通知された各タグデータ内のアラーム情報の数と、前記読出された状態情報内の発生アラーム情報により示されるアラームの数と、当該アラーム情報により示されるアラーム及び当該発生アラーム情報により示されるアラームのうちの互いに一致するアラームの数とに基づいてアラーム適合率を計算する手段と、
前記計算されたアラーム適合率を表示させる手段と、
ガイダンスＩＤ情報と、前記アラームの組合せを示す条件情報と、前記アラーム情報が当該条件情報により示されるアラームの組合せに一致するときに、操作者に通知するガイダンスの内容を示すガイダンス内容情報とを含むガイダンス情報を記憶するガイダンス情報記憶手段と、
前記書込まれた発生アラーム情報により示されるアラームに一致するアラームの組合せを前記条件情報としてもつガイダンス情報を前記ガイダンス情報記憶手段から読出し、当該読出されたガイダンス情報内のガイダンスＩＤ情報を発生ガイダンス情報として前記状態情報記憶手段に書込む手段と、
前記読出されたガイダンス情報に含まれるガイダンス内容情報を表示させることにより、当該ガイダンス内容情報を前記操作者に通知する手段と、
前記操作者に通知されているガイダンス内容情報をもつガイダンス情報の数と、前記読出された状態情報内の発生ガイダンス情報により示されるガイダンスの数と、当該ガイダンス情報内のガイダンスＩＤ情報及び当該発生ガイダンス情報により示されるガイダンスＩＤ情報のうちの互いに一致するガイダンスＩＤ情報の数とに基づいてガイダンス適合率を計算する手段と、
前記計算されたガイダンス適合率を表示させる手段と
を備えたことを特徴とするプラント監視制御装置。
【請求項２】
請求項１に記載のプラント監視制御装置において、
現在の時刻を示す現在時刻情報を取得する手段と、
操作者の操作に応じて、検索対象の期間を示す期間検索条件を設定する手段と、
前記取得した現在時刻情報により示される時刻より前の時刻を示す時刻情報をもち、かつ前記期間検索条件により示される期間内の時刻を示す時刻情報をもつ履歴情報を前記履歴情報記憶手段から読出す手段と、
当該読出された履歴情報のうち、当該取得した現在時刻情報により示される時刻に最も近い時刻を示す時刻情報をもつ履歴情報を指定する指定手段と、
当該指定した履歴情報内の履歴内容情報にアラームが回復した旨を示すキーワードが含まれているか否かを判定する判定手段と、
この判定の結果が含まれている旨を示す場合には、当該指定した履歴情報内の時刻情報により示される時刻を含む期間情報をもつ状態情報を前記状態情報記憶手段から読出す読出手段と、
当該指定した履歴情報内の時刻情報と、当該読出された状態情報内の発生アラーム情報により示されるアラームのうち、前記判定により含まれたキーワードに含まれるアラームを除くアラームを示すプラント状態情報とを含むプラント情報を生成する生成手段と、
当該読出された履歴情報内に当該指定した履歴情報を除く履歴情報が含まれているか否かを判定し、この判定の結果、当該履歴情報が含まれているとき、当該履歴情報が含まれていないと判定されるまで、前記指定手段、前記判定手段、前記読出手段及び前記生成手段を繰り返し実行させる手段と、
を更に備えたことを特徴とするプラント監視制御装置。
【請求項３】
請求項１に記載のプラント監視制御装置において、
前記読出された履歴情報を前記状態情報記憶手段に書込む手段と、
前記書込まれた状態情報内の履歴情報内の履歴内容情報に示される制御値情報の変化に一致するように、現在の制御値情報に対する制御処理を実行する手段と
を更に備えたことを特徴とするプラント監視制御装置。
【請求項４】
プラントの制御状態が異常であるか否かをコントローラが判定するための複数の制御値を示す制御値情報と、前記制御状態が異常であると判定されたときに前記コントローラが発生する複数のアラームのうち、現在、発生中のアラームを示すアラーム情報とを含む複数のタグデータを管理及び通知する前記コントローラに接続し、時刻情報と、前記管理された各タグデータ内の制御値情報及びアラーム情報がどのように変化したかを示す履歴内容情報とを含む履歴情報を記憶する履歴情報記憶部と、前記制御状態が異常である期間を示す期間情報と、当該期間情報により示される期間に前記発生したアラームを示す発生アラーム情報とを含む状態情報を記憶する状態情報記憶部と、ガイダンスＩＤ情報と、前記アラームの組合せを示す条件情報と、前記アラーム情報が当該条件情報により示されるアラームの組合せに一致するときに、操作者に通知するガイダンスの内容を示すガイダンス内容情報とを含むガイダンス情報を記憶するガイダンス情報記憶部とを備えるプラント監視制御装置が実行するプラント監視制御方法であって、
操作者の操作に応じて、前記期間情報を前記状態情報記憶部に書込む工程と、
前記期間情報が前記状態情報記憶部に書込まれると、前記通知された各タグデータ内のアラーム情報を前記発生アラーム情報として前記状態情報記憶部に書込み、かつ当該期間情報により示される期間内の時刻を示す時刻情報をもつ履歴情報を前記履歴情報記憶部から読出し、当該読出された履歴情報内の履歴内容情報により新たに発生するように変化した旨が示されるアラームを前記発生アラーム情報として前記状態情報記憶部に書込む工程と、
前記記憶された状態情報に含まれる情報のうち、少なくとも１つの情報の値を検索条件として設定する工程と、
前記設定された検索条件に基づいて、当該検索条件に一致する状態情報を前記状態情報記憶部から読出す工程と、
前記通知された各タグデータ内のアラーム情報の数と、前記読出された状態情報内の発生アラーム情報により示されるアラームの数と、当該アラーム情報により示されるアラーム及び当該発生アラーム情報により示されるアラームのうちの互いに一致するアラームの数とに基づいてアラーム適合率を計算する工程と、
前記計算されたアラーム適合率を表示させる工程と、
前記書込まれた発生アラーム情報により示されるアラームに一致するアラームの組合せを前記条件情報としてもつガイダンス情報を前記ガイダンス情報記憶部から読出し、当該読出されたガイダンス情報内のガイダンスＩＤ情報を発生ガイダンス情報として前記状態情報記憶部に書込む工程と、
前記読出されたガイダンス情報に含まれるガイダンス内容情報を表示させることにより、当該ガイダンス内容情報を前記操作者に通知する工程と、
前記操作者に通知されているガイダンス内容情報をもつガイダンス情報の数と、前記読出された状態情報内の発生ガイダンス情報により示されるガイダンスの数と、当該ガイダンス情報内のガイダンスＩＤ情報及び当該発生ガイダンス情報により示されるガイダンスＩＤ情報のうちの互いに一致するガイダンスＩＤ情報の数とに基づいてガイダンス適合率を計算する工程と、
前記計算されたガイダンス適合率を表示させる工程と
を備えたことを特徴とするプラント監視制御方法。
【発明の詳細な説明】
【技術分野】
【０００１】
本発明の実施形態は、プラント監視制御装置及びプラント監視制御方法に関する。
【背景技術】
【０００２】
複数の制御ループで構成されるプラントを制御するコントローラと通信し、コントローラが制御する制御値に基づいて、プラントの制御状態を監視するプラント監視制御装置が知られている。ここで、コントローラには、多数の制御値を示す制御値情報と、制御状態の異常を表すアラーム（警報）とを含むタグデータが制御ループ毎に予め登録されている。また、コントローラは、制御している制御値が予め設定される異常範囲閾値を超えた場合にプラントの制御状態を異常と判定し、この制御値を示す制御値情報及びアラームを含むタグデータをプラント監視制御装置に送信する。
【０００３】
これにより、プラント監視制御装置は、プラントの制御状態が異常であるか否かをコントローラが判定するための複数の制御値を示す制御値情報等を含むタグデータを監視制御可能となっている。
【０００４】
このプラント監視制御装置は、一般に、タグデータをディスプレイに表示させる機能、プラントの制御状態の異常時にコントローラから発せられるアラームを確認する機能、当該アラームが発せられたプラントの制御状態を回復させる作業を示唆するガイダンスを操作者に通知する機能、及び複数のタグデータを管理するコントローラに制御要求を送る機能等をもっている。
【０００５】
これにより操作者（監視者又はプラントオペレータとも呼ぶ）は、コントローラからアラームが発せられると、プラント監視制御装置からガイダンスの通知を受けることができ、このガイダンスに基づいて、コントローラに適切な制御要求を送ることが可能となる。
【先行技術文献】
【特許文献】
【０００６】
【特許文献１】特開２００６−３９６４８号公報
【特許文献２】特開２０００−８９８７３号公報
【発明の概要】
【発明が解決しようとする課題】
【０００７】
しかしながら、以上のように構成されたプラント監視制御装置では、コントローラから同時多発的にアラームが発せられると、多数のガイダンスを操作者に通知する。このため、操作者には、当該通知された多数のガイダンスから最適なガイダンスを選択しなければならないという不都合が生じる。また、同時多発的にアラームが発せられ、多数のガイダンスが操作者に通知される場合、これらガイダンスの全てが、プラントの制御状態を回復させるために必ずしも必要ではないという不都合がある。
【０００８】
本発明が解決しようとする課題は、同時多発的にアラームが発せられる場合に、プラントの制御状態を回復させるために必要となるガイダンスを操作者に通知し、かつ、操作者が当該通知されるガイダンスから最適なガイダンスを選択可能なプラント監視制御装置を提供することを目的とする。
【課題を解決するための手段】
【０００９】
実施形態のプラント監視制御装置は、プラントの制御状態が異常であるか否かをコントローラが判定するための複数の制御値を示す制御値情報と、前記制御状態が異常であると判定されたときに前記コントローラが発生する複数のアラームのうち、現在、発生中のアラームを示すアラーム情報とを含む複数のタグデータを管理及び通知する前記コントローラに接続する。
【００１０】
前記プラント監視制御装置においては、履歴情報記憶手段が、時刻情報と、前記管理された各タグデータ内の制御値情報及びアラーム情報がどのように変化したかを示す履歴内容情報とを含む履歴情報を記憶する。
【００１１】
前記プラント監視制御装置においては、状態情報記憶手段が、前記制御状態が異常である期間を示す期間情報と、当該期間情報により示される期間に前記発生したアラームを示す発生アラーム情報とを含む状態情報を記憶する。
【００１２】
前記プラント監視制御装置においては、操作者の操作に応じて、前記期間情報を前記状態情報記憶手段に書込む。
【００１３】
前記プラント監視制御装置においては、前記期間情報が前記状態情報記憶手段に書込まれると、前記通知された各タグデータ内のアラーム情報を前記発生アラーム情報として前記状態情報記憶手段に書込み、かつ当該期間情報により示される期間内の時刻を示す時刻情報をもつ履歴情報を前記履歴情報記憶手段から読出し、当該読出された履歴情報内の履歴内容情報により新たに発生するように変化した旨が示されるアラームを前記発生アラーム情報として前記状態情報記憶手段に書込む。
【００１４】
前記プラント監視制御装置においては、前記記憶された状態情報に含まれる情報のうち、少なくとも１つの情報の値を検索条件として設定する。
【００１５】
前記プラント監視制御装置においては、前記設定された検索条件に基づいて、当該検索条件に一致する状態情報を前記状態情報記憶手段から読出す。
【００１６】
前記プラント監視制御装置においては、前記通知された各タグデータ内のアラーム情報の数と、前記読出された状態情報内の発生アラーム情報により示されるアラームの数と、当該アラーム情報により示されるアラーム及び当該発生アラーム情報により示されるアラームのうちの互いに一致するアラームの数とに基づいてアラーム適合率を計算する。
【００１７】
前記プラント監視制御装置においては、前記計算されたアラーム適合率を表示させる。
【００１８】
前記プラント監視制御装置においては、ガイダンス情報記憶手段が、ガイダンスＩＤ情報と、前記アラームの組合せを示す条件情報と、前記アラーム情報が当該条件情報により示されるアラームの組合せに一致するときに、操作者に通知するガイダンスの内容を示すガイダンス内容情報とを含むガイダンス情報を記憶する。
【００１９】
前記プラント監視制御装置においては、前記書込まれた発生アラーム情報により示されるアラームに一致するアラームの組合せを前記条件情報としてもつガイダンス情報を前記ガイダンス情報記憶手段から読出し、当該読出されたガイダンス情報内のガイダンスＩＤ情報を発生ガイダンス情報として前記状態情報記憶手段に書込む。
【００２０】
前記プラント監視制御装置においては、前記読出されたガイダンス情報に含まれるガイダンス内容情報を表示させることにより、当該ガイダンス内容情報を前記操作者に通知する。
【００２１】
前記プラント監視制御装置においては、前記操作者に通知されているガイダンス内容情報をもつガイダンス情報の数と、前記読出された状態情報内の発生ガイダンス情報により示されるガイダンスの数と、当該ガイダンス情報内のガイダンスＩＤ情報及び当該発生ガイダンス情報により示されるガイダンスＩＤ情報のうちの互いに一致するガイダンスＩＤ情報の数とに基づいてガイダンス適合率を計算する。
【００２２】
前記プラント監視制御装置においては、前記計算されたガイダンス適合率を表示させる。
【図面の簡単な説明】
【００２３】
【図１】第１の実施形態に係るプラント監視制御装置を含むプラント監視システムの構成例を示す模式図である。
【図２】同実施形態における履歴情報の一例を示す模式図である。
【図３】同実施形態におけるガイダンス情報の一例を示す模式図である。
【図４】同実施形態における状態情報の一例を示す模式図である。
【図５】同実施形態におけるプラント監視制御装置の動作例を示すフローチャートである。
【図６】同実施形態における登録画面の画面例を示す模式図である。
【図７】同実施形態における検索画面の画面例を示す模式図である。
【図８】同実施形態における検索結果画面の画面例を示す模式図である。
【図９】同実施形態における計算結果画面の画面例を示す模式図である。
【図１０】第２の実施形態に係るプラント監視制御装置を含むプラント監視システムの構成例を示す模式図である。
【図１１】同実施形態におけるプラント情報の一例を示す模式図である。
【図１２】同実施形態におけるプラント監視制御装置のプラント情報生成動作の一例を示すフローチャートである。
【図１３】第３の実施形態に係るプラント監視制御装置を含むプラント監視システムの構成例を示す模式図である。
【図１４】同実施形態におけるプラント監視制御装置の履歴実行動作の一例を示すフローチャートである。
【発明を実施するための形態】
【００２４】
（第１の実施形態）
図１は、第１の実施形態に係るプラント監視制御装置を含むプラント監視システムの構成例を示す模式図である。プラント監視システム１は、コントローラ１０、プラント監視制御装置２０、入力装置３０及び表示装置４０を含む。
【００２５】
コントローラ１０は、タグデータ記憶部１１及び管理部１２を備えている。
【００２６】
タグデータ記憶部１１は、制御値情報及びアラーム情報を含む複数のタグデータを記憶している。制御値情報は、プラントの制御状態が異常であるか否かを管理部１２が判定するための複数の制御値（例えば、現在値、目標値、設定値及び上限値等）を示す。また、アラーム情報は、制御値情報により示される各制御値が変動することでプラントの制御状態が異常であると判定されたとき、管理部１２が作成する複数のアラームのうち、現在、発生中のアラームを示す。
【００２７】
管理部１２は、プラントの制御状態を異常であると判定するとアラーム情報を作成（発生）し、タグデータ記憶部１１に記憶された各タグデータ内にアラーム情報を書込む（又は、各タグデータ内のアラーム情報を書き換える）機能をもっている。また、管理部１２は、各タグデータ内にアラーム情報を書込むと（又は、各タグデータ内のアラーム情報を書き換えると）、当該アラーム情報を含むタグデータをプラント監視制御装置２０に通知する機能をもっている。
【００２８】
ここで、プラント監視制御装置２０は、履歴情報記憶部２１、ガイダンス情報記憶部２２、状態情報記憶部２３、入力受付部２４、表示部２５及び監視制御部２６を備えている。
【００２９】
履歴情報記憶部２１は、図２に一例を示す如き、時刻情報及び履歴内容情報を含む履歴情報２１ａを記憶している。時刻情報は時刻を示す。また、履歴内容情報は、コントローラ１０により管理（通知）される各タグデータ内の制御値情報及びアラーム情報がどのように変化したかを示す。なお、本実施形態では、時刻情報は２４時間表記であるとしたが、これに限定されず、例えば午前（ＡＭ）及び午後（ＰＭ）を用いた表記等が適用可能である。
【００３０】
ガイダンス情報記憶部２２は、図３に一例を示す如き、ガイダンスＩＤ情報、条件情報及びガイダンス内容情報を含むガイダンス情報２２ａを記憶している。ガイダンスＩＤ情報は、ガイダンス情報２２ａを識別するための識別情報を示す。また、条件情報は、操作者にガイダンスを通知するための条件を示しており、プラントから発せられるアラームの組合せを示す。更に、ガイダンス内容情報は、プラントにおいて発生中のアラームの組合せが条件情報により示されるアラームの組合せに一致するときに、操作者に通知するガイダンスの内容を示す。
【００３１】
なお、本実施形態では、プラント監視制御装置２０は、履歴情報記憶部２１とガイダンス情報記憶部２２とをそれぞれ備える構成としたが、これに限定されず、例えば、履歴情報記憶部２１とガイダンス情報記憶部２２とに記憶された情報を記憶する記憶部を備える構成等が適用可能である。
【００３２】
状態情報記憶部２３は、図４に一例を示す如き、登録ＩＤ情報、期間情報、発生アラーム情報、発生ガイダンス情報、メモ情報及び履歴情報を含む状態情報２３ａを記憶している。登録ＩＤ情報は状態情報２３ａを識別するための識別情報を示す。期間情報は、プラントの制御状態が異常である期間を示す。発生アラーム情報は、期間情報により示される期間内に発生したアラームを示す。また、発生ガイダンス情報は、発生アラーム情報により示されるアラームの組合せに基づいて操作者に発せられた（通知された）ガイダンスを示す。更に、メモ情報は、操作者が任意に入力可能な文書を示しており、例えば、操作者が期間情報により示される期間内にどんな作業をしていたかを説明するための文書等を示す。
【００３３】
入力受付部２４は、操作者の操作に応じて、入力装置３０により入力される情報（例えば、期間情報及びメモ情報等）を受け付ける機能をもっている。
【００３４】
表示部２５は、後述する監視制御部２６から送信される画面表示要求に基づいて画面情報を生成し、当該生成された画面情報を表示装置４０に表示させる機能をもっている。
【００３５】
監視制御部２６は、例えば、以下の各機能(f26-1)〜(f26-8)をもっている。
【００３６】
(f26-1)  入力受付部２４で受け付けた期間情報及びメモ情報を状態情報記憶部２３に書込む機能。
【００３７】
(f26-2)  期間情報及びメモ情報が状態情報記憶部２３に書込まれると、コントローラ１０により管理（通知）された各タグデータ内のアラーム情報を発生アラーム情報として状態情報記憶部２３に書込み、かつ当該期間情報により示される期間内の時刻を示す時刻情報をもつ履歴情報２１ａを履歴情報記憶部２１から読出し、当該読出された履歴情報２１ａ内の履歴内容情報により新たに発生するように変化した旨が示されるアラームを発生アラーム情報として状態情報記憶部２３に書込むアラーム情報書込機能。
【００３８】
(f26-3)  アラーム情報書込機能(f26-2)により読出された履歴情報２１ａを状態情報記憶部２３に書込む機能。
【００３９】
(f26-4)  アラーム情報書込機能(f26-2)により書込まれた発生アラーム情報により示されるアラームに一致するアラームの組合せを条件情報としてもつガイダンス情報２２ａをガイダンス情報記憶部２２から読出し、当該読出されたガイダンス情報２２ａ内のガイダンスＩＤ情報を発生ガイダンス情報として状態情報記憶部２３に書込むガイダンス情報書込機能。
【００４０】
(f26-5)  状態情報記憶部２３に記憶された状態情報２３ａに含まれる情報のうち、少なくとも１つの情報の値を検索条件として設定する検索条件設定機能。
【００４１】
(f26-6)  検索条件設定機能(f26-5)により設定された検索条件に基づいて、当該検索条件に一致する状態情報２３ａを状態情報記憶部２３から読出す（抽出する）状態情報読出機能。
【００４２】
(f26-7)  コントローラ１０により管理（通知）された各タグデータ内のアラーム情報の数と、状態情報読出機能(f26-6)により読出された状態情報２３ａ内の発生アラーム情報により示されるアラームの数と、当該アラーム情報により示されるアラーム及び当該発生アラーム情報により示されるアラームのうちの互いに一致するアラームの数とに基づいてアラーム適合率を計算する機能。
【００４３】
(f26-8)  操作者に通知されているガイダンス内容情報をもつガイダンス情報２２ａの数と、状態情報読出機能(f26-6)により読出された状態情報２３ａ内の発生ガイダンス情報により示されるガイダンスの数と、当該ガイダンス情報２２ａ内のガイダンスＩＤ情報及び当該発生ガイダンス情報により示されるガイダンスＩＤ情報のうちの互いに一致するガイダンスＩＤ情報の数とに基づいてガイダンス適合率を計算する機能。
【００４４】
入力装置３０は、プラント監視制御装置２０に接続しており、操作者の操作に応じて、期間情報やメモ情報をプラント監視制御装置２０に入力する機能をもっており、例えば、マウスやキーボード等の入力機器を示す。
【００４５】
表示装置４０は、プラント監視制御装置２０に接続しており、プラント監視制御装置２０内の表示部２５から送信された画面情報に基づいて、後述する各画面を表示する機能をもっている。
【００４６】
次に、以上のように構成されたプラント監視制御装置の動作の一例を、図５のフローチャートと、図６〜図９の模式図とを参照しながら説明する。
【００４７】
始めに、入力受付部２４は、操作者の操作に応じて、入力装置３０により入力された期間情報とメモ情報との入力を受け付けた後に、登録ボタンｇ１の押下を検出すると、当該受け付けた期間情報とメモ情報とを監視制御部２６に送信する（ステップＳ１０１）。ここでは、入力受付部２４は、図６に一例を示すように、期間情報「０９：３０−１０：１０」とメモ情報「プラント定検Ａ作業中」との入力を受け付ける。なお、図６は、表示装置４０に表示された登録画面Ｇ１の画面例を示しており、登録画面Ｇ１は、例えば、ダイアログ形式のメッセージとして表示装置４０に表示される。
【００４８】
続いて、監視制御部２６は、入力受付部２４から送信された期間情報及びメモ情報を受けると、当該受信した期間情報「０９：３０−１０：１０」とメモ情報「プラント定検Ａ作業中」とを状態情報記憶部２３に書込む（ステップＳ１０２）。
【００４９】
なお、本実施形態では、監視制御部２６が期間情報とメモ情報とを状態情報記憶部２３に書込む構成としたが、これに限定されず、例えば、入力受付部２４が期間情報とメモ情報との入力を受け付けた後に、当該受け付けた期間情報とメモ情報とを状態情報記憶部２３に書込む構成等が適用可能である。
【００５０】
次に、監視制御部２６は、コントローラ１０から通知されたアラーム情報を発生アラーム情報として状態情報記憶部２３に書込む（ステップＳ１０３）。ここでは、監視制御部２６は、発生アラーム情報「アラームＢ」を状態情報記憶部２３に書込む。
【００５１】
続いて、監視制御部２６は、ステップＳ１０２において書込まれた期間情報「０９：３０−１０：１０」により示される期間内の時刻を示す時刻情報をもつ履歴情報２１ａを履歴情報記憶部２１から読出し、当該読出された履歴情報２１ａを状態情報記憶部２３に書込む（ステップＳ１０４）。ここでは、監視制御部２６は、時刻情報「０９：５９、１０：００、１０：０１」をもつ履歴情報２１ａを履歴情報記憶部２１から読出し、かつ、履歴情報「０９：５９ タグＡ アラームＡ発生、１０：００ タグＡ パラメータ変更 現在値９０→５０、１０：０１ タグＡ アラームＡ回復」を状態情報記憶部２３に書込む。
【００５２】
次に、監視制御部２６は、ステップＳ１０４において書込まれた履歴情報により示される回復済みのアラームを発生アラーム情報として状態情報記憶部２３に書込む（ステップＳ１０５）。ここでは、監視制御部２６は、発生アラーム情報「アラームＡ」を状態情報記憶部２３に書込む。なお、監視制御部２６が、当該書込まれた履歴情報から回復済みのアラームを読取る方法としては、例えば、「回復」をキーワードとして予め設定しておき、このキーワードより前に位置するアラーム名を回復済みのアラームとして読取る方法等が適用可能である。
【００５３】
続いて、監視制御部２６は、ステップＳ１０３，Ｓ１０５において発生アラーム情報として書込まれた「アラームＡ、アラームＢ」に一致する組合せを条件情報としてもつガイダンス情報２２ａをガイダンス情報記憶部２２から読出し、当該読出したガイダンス情報２２ａ内のガイダンスＩＤ情報を発生ガイダンス情報として状態情報記憶部２３に書込む（ステップＳ１０６）。ここでは、監視制御部２６は、発生ガイダンス情報「ガイダンスＡ」を状態情報記憶部２３に書込む。また、監視制御部２６は、ステップＳ１０６で読出したガイダンス情報２２ａに含まれるガイダンス内容情報を表示装置４０に表示させるための画面表示要求を表示部２５に送り、表示部２５は、この画面表示要求に基づいて、ガイダンス内容情報を表示装置４０に表示させる処理（すなわち、ガイダンス内容情報を表示させるための画面情報を生成した後に、当該生成された画面情報を表示装置４０に送信する処理）を実行する。これにより、ガイダンス内容情報は操作者に通知される。
【００５４】
なお、ステップＳ１０１〜Ｓ１０６の処理が実行されると、監視制御部２６は、表示装置４０に検索画面Ｇ２を表示させるための画面表示要求を表示部２５に送り、表示部２５は、この画面表示要求に基づいて、検索画面Ｇ２を表示装置４０に表示させる処理（すなわち、検索画面Ｇ２を表示させるための画面情報を生成した後に、当該生成された画面情報を表示装置４０に送信する処理）を実行する。
【００５５】
次に、入力受付部２４は、操作者の操作に応じて、検索画面Ｇ２内の複数の検索条件欄に対しての入力を受け付ける（ステップＳ１０７）。ここでは、入力受付部２４は、複数の検索条件欄のうち、期間の項目に対して「０９：３０−１０：３０」の入力を受け付ける。
【００５６】
次に、監視制御部２６は、検索画面Ｇ２内の検索ボタンｇ２が押下されたか否か（すなわち、入力受付部２４から送信され、検索ボタンｇ２の押下を示す信号を受信したか否か）を判定する（ステップＳ１０８）。なお、ステップＳ１０８の判定の結果が否を示す場合（ステップＳ１０８：「Ｎｏ」）には、ステップＳ１０７の処理に戻る。
【００５７】
なお、ステップＳ１０７，Ｓ１０８の処理が実行されると、監視制御部２６は、表示装置４０に検索結果画面Ｇ３を表示させるための画面表示要求を表示部２５に送り、表示部２５は、この画面表示要求に基づいて、検索結果画面Ｇ３を表示装置４０に表示させる処理（すなわち、検索結果画面Ｇ３を表示させるための画面情報を生成した後に、当該生成された画面情報を表示装置４０に送信する処理）を実行する。
【００５８】
ステップＳ１０８の判定の結果が押下された旨を示す場合（ステップＳ１０８：「Ｙｅｓ」）には、監視制御部２６は、入力受付部２４において受け付けた入力値を検索条件として設定し、当該設定された検索条件に一致する状態情報２３ａを状態情報記憶部２３から読出す（ステップＳ１０９）。ここでは、監視制御部２６は、図８に一例を示すように、登録ＩＤ情報「２」をもつ状態情報２３ａを状態情報記憶部２３から読出す。
【００５９】
続いて、監視制御部２６は、検索結果画面Ｇ３内の実行ボタンｇ３が押下されたか否か（すなわち、入力受付部２４から送信され、実行ボタンｇ３の押下を示す信号を受信したか否か）を判定する（ステップＳ１１０）。なお、ステップＳ１１０の判定の結果が否を示す場合（ステップＳ１１０：「Ｎｏ」）には、監視制御部２６は、例えば、検索条件に一致する状態情報がない旨を示すメッセージ情報を、表示部２５を介して表示装置４０に表示させた後に、プラント監視制御装置２０での動作を終了する。
【００６０】
ステップＳ１１０の判定の結果が押下された旨を示す場合（ステップＳ１１０：「Ｙｅｓ」）には、監視制御部２６は、コントローラ１０から通知されたアラーム情報の数と、当該読出された状態情報内の発生アラーム情報により示されるアラームの数と、当該アラーム情報により示されるアラーム及び当該発生アラーム情報により示されるアラームのうち、一致するアラームの数とに基づいてアラーム適合率を計算する（ステップＳ１１１）。ここでは、監視制御部２６は、アラーム情報の数「１（アラームＢ）」と、発生アラーム情報の数「２（アラームＡ、アラームＢ）」と、一致するアラームの数「１（アラームＢ）」とに基づいてアラーム適合率を計算する。
【００６１】
なお、アラーム適合率は、以下の式（１）に基づいて計算される。
【００６２】
アラーム適合率＝一致するアラームの数／（アラーム情報の数または発生アラーム情報の数のうちのいずれか大きい値）×１００                                …式（１）
すなわち、アラーム適合率は、式（１）に基づいて、「５０（＝１／２×１００）［％］」を示す。
【００６３】
しかる後に、表示部２５は、図９に一例を示すように、当該計算されたアラーム適合率「５０［％］」を示す計算結果画面Ｇ４を表示装置４０に表示させ（ステップＳ１１２）、プラント監視制御装置２０での動作を終了する。
【００６４】
ここで、アラーム適合率は、操作者が優先的に実行すべきガイダンスであるか否かを判別するための基準として示され、アラーム適合率が高くなるにつれて、図９に一例を示すように、この適合率情報（アラーム適合率）に関連付けられた発生ガイダンス情報により示されるガイダンスの内容を実行する優先度（すなわち、優先順位）が高くなることを示している。
【００６５】
なお、本実施形態では、監視制御部２６が、アラーム適合率のみを計算すると仮定したが、アラーム適合率を計算した後に（すなわち、ステップＳ１１１の処理の後に）、ガイダンス適合率を計算してもよい。
【００６６】
この場合、監視制御部２６は、操作者に通知されているガイダンス内容情報をもつガイダンス情報２２ａの数と、ステップＳ１０９において読出された状態情報２３ａ内の発生ガイダンス情報により示されるガイダンスの数と、当該ガイダンス情報２２ａ内のガイダンスＩＤ情報及び当該発生ガイダンス情報により示されるガイダンスＩＤ情報のうち、一致するガイダンスＩＤ情報の数とに基づいてガイダンス適合率を計算する。ここでは、監視制御部２６は、ガイダンス情報の数「０」と、発生ガイダンス情報により示されるガイダンスの数「１」と、一致するガイダンスＩＤ情報の数「０」とに基づいてガイダンス適合率を計算する。
【００６７】
なお、ガイダンス適合率は、以下の式（２）に基づいて計算される。
【００６８】
ガイダンス適合率＝一致するガイダンスＩＤ情報の数／（ガイダンス情報の数または発生ガイダンス情報により示されるガイダンスの数のうちのいずれか大きい値）×１００
…式（２）
すなわち、ガイダンス適合率は、式（２）に基づいて、「０（＝０／１×１００）［％］」を示す。
【００６９】
ここで、ガイダンス適合率は、ステップＳ１１１において計算された複数のアラーム適合率が同じ値を示す場合に、操作者が優先的に実行すべきガイダンスであるか否かを判別するための基準として示され、ガイダンス適合率が高くなるにつれて、この適合率情報に関連付けられた発生ガイダンス情報により示されるガイダンスの内容を実行する優先度が高くなることを示している。
【００７０】
以上説明した第１の実施形態によれば、必要なガイダンスを通知するための登録作業を支援する(f26-1)〜(f26-4)の機能と、アラーム適合率及びガイダンス適合率を計算する(f26-5)〜(f26-8)の機能とを備えた構成により、操作者は、必要なガイダンスの通知を受けると共に、アラーム適合率及びガイダンス適合率の値を参照することで最適なガイダンスを選択することができる。
【００７１】
（第２の実施形態）
図１０は、第２の実施形態に係るプラント監視制御装置を含むプラント監視システムの構成例を示す模式図であって、図１に示した構成とは異なり、プラント監視制御装置２０内にプラント情報生成部２７を更に備えた構成となっている。
【００７２】
ここで、プラント情報生成部２７は、図１１に示す如き、時刻情報と、当該時刻情報により示される時刻のプラントの状態を示すプラント状態情報とを含むプラント情報２７ａを生成し、当該生成したプラント情報２７ａを、例えば図示しないメモリ等に書込む機能をもっている。
【００７３】
次に、以上のように構成されたプラント監視制御装置のプラント情報生成動作について、図１１の模式図と、図１２のフローチャートとを参照しながら説明する。但し、入力受付部２４が、操作者の操作に応じて、検索画面Ｇ２内の検索条件欄の期間の項目に「０９：３０−１０：３０」の入力を受け付けたものと仮定する。
【００７４】
始めに、プラント情報生成部２７は、図示しない時計部から現在の時刻を示す現在時刻情報を取得する（ステップＳ２０１）。ここでは、プラント情報生成部２７は、現在時刻情報「１０：１５」を取得したものと仮定する。
【００７５】
続いて、プラント情報生成部２７は、当該取得した現在時刻情報により示される現在時刻より前の時刻を示す時刻情報をもち、かつ入力受付部２４により受け付けた（すなわち、監視制御部２６により検索条件として設定された）検索条件「０９：３０−１０：３０」により示される期間内の時刻を示す時刻情報をもつ履歴情報２１ａを履歴情報記憶部２１から読出す（ステップＳ２０２）。ここでは、プラント情報生成部２７は、時刻情報「０９：５９、１０：００、１０：０１」をもつ履歴情報２１ａを履歴情報記憶部２１から読出す。
【００７６】
次に、プラント情報生成部２７は、当該読出された履歴情報２１ａのうち、当該取得した現在時刻情報により示される現在時刻に最も近い時刻を示す時刻情報をもつ履歴情報２１ａを指定する（ステップＳ２０３）。ここでは、プラント情報生成部２７は、時刻情報「１０：０１」をもつ履歴情報２１ａを指定する。
【００７７】
続いて、プラント情報生成部２７は、当該指定した履歴情報２１ａ内の履歴内容情報に「アラーム回復」の旨を示す内容が含まれているか否かを判定する（ステップＳ２０４）。なお、アラーム回復の旨を示す内容が含まれているか否かを判定する方法としては、例えば「アラーム回復」をキーワードとして予め設定しておき、このキーワードが検出されるか否かを判定する判定方法等が適用可能である。
【００７８】
ステップＳ２０４の判定の結果が含まれている旨を示す場合（ステップＳ２０４：「Ｙｅｓ」）には、プラント情報生成部２７は、当該指定した履歴情報２１ａ内の時刻情報「１０：０１」により示される時刻を含む期間情報をもつ状態情報２３ａを状態情報記憶部２３から読出す（ステップＳ２０５）。ここでは、プラント情報生成部２７は、期間情報「０９：３０−１０：１０」をもつ状態情報２３ａを状態情報記憶部２３から読出す。
【００７９】
なお、ステップＳ２０４の判定の結果が否を示す場合（ステップＳ２０４：「Ｎｏ」）には、後述するステップＳ２０７の処理に進む。
【００８０】
次に、プラント情報生成部２７は、当該指定した履歴情報２１ａ内の時刻情報「１０：０１」と、当該読出された状態情報２３ａ内の発生アラーム情報により示されるアラーム（すなわち、「アラームＡ、アラームＢ」）のうち、ステップＳ２０４において検出されたキーワードに含まれるアラーム（すなわち、「アラームＡ」）を除くアラーム「アラームＢ」を示すプラント状態情報とを含むプラント情報２７ａを生成する（ステップＳ２０６）。
【００８１】
続いて、プラント情報生成部２７は、当該読出された履歴情報２１ａ内に当該指定した履歴情報を除く履歴情報が含まれているか否かを判定する（ステップＳ２０７）。なお、ステップＳ２０７の判定の結果が否を示す場合（ステップＳ２０７：「Ｎｏ」）には、プラント監視制御装置２０でのプラント情報生成動作を終了させる。
【００８２】
ステップＳ２０７の判定の結果が含まれている旨を示す場合（ステップＳ２０７：「Ｙｅｓ」）には、ステップＳ２０３の処理に戻る。
【００８３】
なお、プラント情報２７ａは、プラント情報生成部２７によって生成される度に、プラント情報生成部２７によって図示しないメモリ等に書込まれる。また、プラント情報生成動作は、検索画面Ｇ２内の検索ボタンｇ２が押下されると（すなわち、入力受付部２４が検索ボタンの押下を示す入力を受け付けると）実行され、プラント情報生成部２７により生成されるプラント情報２７ａは、検索結果画面Ｇ３内の検索結果を示す状態情報と共に表示装置４０に表示させてもよい。
【００８４】
以上説明した第２の実施形態によれば、プラント情報２７ａを生成するプラント情報生成部２７を備えた構成により、必要なガイダンスを操作者に通知するためのガイダンス登録作業をより円滑に進めることができる。
【００８５】
（第３の実施形態）
図１３は、第３の実施形態に係るプラント監視制御装置を含むプラント監視システムの構成例を示す模式図であって、図１及び図１０に示す構成とは異なり、プラント監視制御装置２０内に履歴実行部２８を更に備えた構成となっている。
【００８６】
ここで、履歴実行部２８は、監視制御部２６により検索（抽出）された状態情報２３ａ内の履歴情報内の履歴内容情報に示される制御値情報の変化に一致するように、現在の制御値情報に対する制御処理を実行する機能をもっている。
【００８７】
次に、以上のように構成されたプラント監視制御装置の履歴実行動作について、図１４のフローチャート参照しながら説明する。但し、入力受付部２４が、操作者の操作に応じて、検索画面Ｇ２内の検索条件欄の期間の項目に「０９：３０−１０：３０」の入力を受け付けたものと仮定する。また、監視制御部２６が、当該受け付けた入力値を検索条件として設定し、検索処理を実行したものと仮定する。
【００８８】
始めに、履歴実行部２８は、監視制御部２６により検索（抽出）された状態情報２３ａ内の履歴情報を読出す（ステップＳ３０１）。ここでは、履歴実行部２８は、図８に一例を示すように、履歴情報「０９：５９ タグＡ アラームＡ発生、１０：００ タグＡ パラメータ変更 現在値９０→５０、１０：０１ タグＡ アラームＡ回復」を読出す。
【００８９】
次に、履歴実行部２８は、当該読出された履歴情報のうち、最も早い時刻を示す時刻情報をもつ履歴情報を指定する（ステップＳ３０２）。ここでは、履歴実行部２８は、時刻情報「０９：５９」をもつ履歴情報「０９：５９ タグＡ アラームＡ発生」を指定する。
【００９０】
続いて、履歴実行部２８は、当該指定された履歴情報に示される履歴内容がコントローラ１０により管理される各制御値を制御する旨を示す履歴内容であるか否かを判定する（ステップＳ３０３）。なお、ステップＳ３０３の判定の結果が否を示す場合（ステップＳ３０３：「Ｎｏ」）には、後述するステップＳ３０５の処理に進む。
【００９１】
なお、各制御値を制御する旨を示す履歴内容であるか否かを判定する方法としては、例えば「パラメータ変更」をキーワードとして予め設定しておき、このキーワードが検出されるか否かを判定する判定方法等が適用可能である。
【００９２】
ステップＳ３０３の判定の結果が各制御値を制御する旨を示す履歴内容である場合（ステップＳ３０３：「Ｙｅｓ」）には、履歴実行部２８は、当該指定した履歴情報に示される制御処理を実行する（ステップＳ３０４）。
【００９３】
次に、履歴実行部２８は、当該読出された履歴情報内に当該指定した履歴情報を除く履歴情報が含まれているか否かを判定する（ステップＳ３０５）。なお、ステップＳ３０５の判定の結果が否を示す場合（ステップＳ３０５：「Ｎｏ」）には、プラント監視制御装置２０での履歴実行動作を終了する。
【００９４】
ステップＳ３０５の判定の結果が含まれている旨を示す場合（ステップＳ３０５：「Ｙｅｓ」）には、ステップＳ３０２の処理に戻る。
【００９５】
以上説明した第３の実施形態によれば、状態情報２３ａ内の履歴情報に示される制御処理を実行する履歴実行部２８を備えた構成により、プラントの制御状態を回復させるために必要となる一連の制御処理を実行することができる。
【００９６】
以上説明した少なくともひとつの実施形態によれば、必要なガイダンスを予め登録するための登録作業を支援し、かつ、アラーム適合率及びガイダンス適合率を計算する監視制御部２６を備えた構成により、同時多発的にアラームが発せられる場合に、プラントの制御状態を回復させるために必要となるガイダンスを操作者に通知し、かつ、操作者が当該通知されるガイダンスから最適なガイダンスを選択することができる。
【００９７】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９８】
１…プラント監視システム、１０…コントローラ、１１…タグデータ記憶部、１２…管理部、２０…プラント監視制御装置、２１…履歴情報記憶部、２１ａ…履歴情報、２２…ガイダンス情報記憶部、２２ａ…ガイダンス情報、２３…状態情報記憶部、２３ａ…状態情報、２４…入力受付部、２５…表示部、２６…監視制御部、２７…プラント情報生成部、２８…履歴実行部、３０…入力装置、４０…表示装置、Ｇ１…登録画面、Ｇ２…検索画面、Ｇ３…検索結果画面、Ｇ４…計算結果画面、ｇ１…登録ボタン、ｇ２…検索ボタン、ｇ３…実行ボタン。
【図１】
2013050819.tif 000003
【図２】
2013050819.tif 000004
【図３】
2013050819.tif 000005
【図４】
2013050819.tif 000006
【図５】
2013050819.tif 000007
【図６】
2013050819.tif 000008
【図７】
2013050819.tif 000009
【図８】
2013050819.tif 000010
【図９】
2013050819.tif 000011
【図１０】
2013050819.tif 000012
【図１１】
2013050819.tif 000013
【図１２】
2013050819.tif 000014
【図１３】
2013050819.tif 000015
【図１４】
2013050819.tif 000016